(57)【要約】【課題】植物の周囲温度を制御する機能を備えながらも、設備コストおよびランニングコストの増加を抑制した農業用ハウスを提供する。【解決手段】水供給装置は、ハウス本体の内部に配置され植物の群落に上方から撒水を行う撒水装置を備える。散水装置は、撒水を行うことにより、植物への水分の供給と、気化熱を利用した熱移動による植物の周囲温度の制御とを行う。制御装置３０は、環境センサ２４から植物の周囲温度を含む環境情報を取得し、植物の育成に適した温度および湿度が得られるように、環境情報に応じて定まる撒水期間に水供給装置を駆動して撒水を行い、撒水期間の後に定めた休止期間に水供給装置による撒水を禁止する。【選択図】図１
2014057570.tif 000002
【特許請求の範囲】
【請求項１】
透光性を有する被覆材がフレームにより支持され内部に植物育成用の空間が形成されたハウス本体と、
前記ハウス本体の内部で育成される植物の群落に上方から撒水を行うことにより前記植物への水分の供給と前記植物の周囲温度の制御とを行う水供給装置を含み、前記植物が成長する環境を形成する環境形成装置と、
前記ハウス本体の内部空間において前記植物の周囲温度を含む環境情報を検出する環境センサと、
前記植物の育成に適した温度および湿度が得られるように、前記環境センサから前記環境情報を取得し、前記水供給装置から撒水を行うタイミングと水量との少なくとも一方を前記環境情報に応じて制御する制御装置とを備え、
前記制御装置は、前記環境情報に応じて定まる撒水期間に前記水供給装置を駆動して撒水を行い、前記撒水期間の後に定めた休止期間に前記水供給装置による撒水を禁止する
ことを特徴とする農業用ハウス。
【請求項２】
前記制御装置は、前記水供給装置を含む前記環境形成装置の動作を制御する機能を有し、前記環境形成装置を制御する制御内容を季節に応じて変更することを特徴とする請求項１記載の農業用ハウス。
【請求項３】
前記ハウス本体の外部の温度を計測する温度センサをさらに備え、
前記制御装置は、前記温度センサが当日の日の出までに計測した最低温度に応じて季節を判定する
ことを特徴とする請求項２記載の農業用ハウス。
【請求項４】
前記制御装置は、冬季には前記植物の周囲温度が育成に適した温度よりも高くなるように、前記水供給装置から撒水を行うタイミングと水量との少なくとも一方を設定している
ことを特徴とする請求項２又は３記載の農業用ハウス。
【請求項５】
前記制御装置は、前記環境形成装置を制御する制御内容を時間帯に応じて変更することを特徴とする請求項２〜４のいずれか１項に記載の農業用ハウス。
【請求項６】
前記制御装置は、前記植物の成長段階に応じて、前記休止期間を変更することを特徴とする請求項１〜５のいずれか１項に記載の農業用ハウス。
【請求項７】
前記制御装置は、前記植物の成長段階に応じて、前記水供給装置から撒水を行う水量を変更することを特徴とする請求項１〜６のいずれか１項に記載の農業用ハウス。
【請求項８】
前記水供給装置は、前記植物に水がかかるように撒水する撒水装置と、前記植物の上方空間に水を噴霧するミスト装置とを備えることを特徴とする請求項１〜７のいずれか１項に記載の農業用ハウス。
【請求項９】
前記ハウス本体を複数棟備え、
前記ハウス本体にそれぞれ配置される前記撒水装置と前記ミスト装置との少なくとも一方に水を供給し、かつ前記複数棟の前記ハウス本体で共用される給水設備をさらに備える
ことを特徴とする請求項８記載の農業用ハウス。
【請求項１０】
前記制御装置は、前記給水設備の給水能力と前記ハウス本体で必要な給水量との関係に応じて、前記ハウス本体のうちで前記給水設備から給水を行う対象を選択する
ことを特徴とする請求項９記載の農業用ハウス。
【請求項１１】
前記制御装置は、前記ハウス本体で必要な給水量の総量が前記給水設備の給水能力を上回っている場合に、前記給水設備から前記ハウス本体に順に給水を行う
ことを特徴とする請求項１０記載の農業用ハウス。
【請求項１２】
前記制御装置は、前記植物の成長段階に応じた位置の前記環境センサから前記環境情報を取得することを特徴とする請求項１〜１１のいずれか１項に記載の農業用ハウス。
【請求項１３】
前記環境形成装置は、前記ハウス本体の内部において前記植物の周囲に気流を形成する気流形成装置をさらに備え、
前記制御装置は、前記水供給装置による撒水のタイミングと水量との少なくとも一方に合わせて前記気流形成装置の動作を制御する
ことを特徴とする請求項１〜１２のいずれか１項に記載の農業用ハウス。
【請求項１４】
前記環境形成装置は、前記ハウス本体の内部において前記植物の周囲に気流を形成する気流形成装置をさらに備え、
前記制御装置は、冬季には前記植物の周囲温度が所定温度以上に維持される範囲で前記気流形成装置を定期的に動作させる
ことを特徴とする請求項１〜１２のいずれか１項に記載の農業用ハウス。
【請求項１５】
前記ハウス本体は、互いに対向する一対の側壁部と、前記側壁部の間に跨る屋根部と、前記側壁部と交差し互いに対向する妻壁部とを一体に備え、
前記環境形成装置は、前記側壁部に設けられた開閉可能な側窓をさらに備え、
前記気流形成装置は、前記妻壁部に取り付けられ、前記ハウス本体において前記妻壁部を通る方向に気流を形成することにより、前記側窓が開いているときに前記側窓から外気を誘引する
ことを特徴とする請求項１４記載の農業用ハウス。
【請求項１６】
前記妻壁部はそれぞれ開閉可能な端窓が設けられ、
前記気流形成装置は、一対の前記妻壁部にそれぞれ取り付けられ、
一対の前記気流形成装置は、前記ハウス本体において一対の前記妻壁部を通る方向に沿った中心線に対して互いに反対側に位置し、かつ対向する前記妻壁部にそれぞれ設けられた前記端窓と向かい合うように配置されている
ことを特徴とする請求項１５記載の農業用ハウス。
【請求項１７】
前記環境形成装置は、前記植物に照射される外光を減光する閉状態と前記植物に照射される外光を遮らない開状態との間で開閉可能に駆動されるカーテンをさらに備え、
前記気流形成装置は、前記植物よりも上方であって、前記カーテンの閉状態において前記カーテンを挟んで前記屋根部の反対側となる位置に配置されている
ことを特徴とする請求項１５又は１６記載の農業用ハウス。
【請求項１８】
前記側窓および前記端窓は開閉可能に駆動され、
前記制御装置は、前記環境センサが検出した前記環境情報に応じて、前記側窓の開閉と前記端窓の開閉と前記気流形成装置の動作とを制御することを特徴とする請求項１６記載の農業用ハウス。
【請求項１９】
前記妻壁部に取り付けられた前記気流形成装置は、
気流を形成する本体装置と、
前記妻壁部に固定され前記本体装置が結合される位置が可変である取付枠とにより構成されている
ことを特徴とする請求項１５〜１８のいずれか１項に記載の農業用ハウス。
【請求項２０】
前記妻壁部に取り付けられた前記気流形成装置は、軸流ファンを備えた複数台の換気扇または送風機からなり、軸流ファンの回転軸の軸線が一直線上に配置されている
ことを特徴とする請求項１５〜１９のいずれか１項に記載の農業用ハウス。
【請求項２１】
前記植物に照射される外光を減光する閉状態と前記植物に照射される外光を遮らない開状態との間で開閉可能に駆動されるカーテンをさらに備え、
前記制御装置は、前記カーテンが前記水供給装置による撒水のタイミングと水量との少なくとも一方に合わせて開閉されるように前記カーテンを駆動する
ことを特徴とする請求項１〜２０のいずれか１項に記載の農業用ハウス。
【請求項２２】
前記制御装置は、天気予報の情報を外部から取得する通信インターフェイス部を備え、前記通信インターフェイス部を通して取得した天気予報の情報から前記周囲温度を予測することにより、前記水供給装置から撒水するタイミングと水量との少なくとも一方の計画を定めることを特徴とする請求項１〜２１のいずれか１項に記載の農業用ハウス。
【請求項２３】
前記環境センサは、前記植物の前記周囲温度に加えて、前記ハウス本体の内部における湿度と照度との少なくとも一方を前記環境情報として検出することを特徴とする請求項１〜２２のいずれか１項に記載の農業用ハウス。
【請求項２４】
前記水供給装置は、水温を調節するチラーを備えることを特徴とする請求項１〜２３のいずれか１項に記載の農業用ハウス。
【発明の詳細な説明】
【技術分野】
【０００１】
本発明は、植物を育成するハウス本体の内部において植物の育成環境を制御可能にした農業用ハウスに関するものである。
【背景技術】
【０００２】
従来から、植物を育成する際に植物の育成環境を制御可能にするためにビニールハウスあるいはパイプハウスと称される温室様のハウスが用いられている。この種のハウスは、太陽光の入射を可能にして外部環境を取り込みながらも、温度、湿度、照度のような植物の育成環境を管理可能にし、植物に適した育成環境を形成する目的で用いられている。
【０００３】
この種のハウスは、内部空間の温度を管理するために、温水や冷水のような熱媒を通す管路をハウス内に敷設することが考えられているが、撒水や換気のための設備のほかに温度を制御するための設備が必要になるから、コスト高になるという問題を有している。
【０００４】
一方、ハウスが構造材であるフレームと、フレームを覆う被覆材とで構成されていることに鑑みて、被覆材の屋外面を親水処理面とし、この屋外面に水を流下させる構成が提案されている（たとえば、特許文献１参照）。特許文献１には、被覆材の外面に水を流すことによって、昼間におけるハウス内の温度上昇を抑制し、かつ夜間における温度低下を抑制する効果が得られることが記載されている。
【先行技術文献】
【特許文献】
【０００５】
【特許文献１】特開２００７−３００８３６号公報
【発明の概要】
【発明が解決しようとする課題】
【０００６】
特許文献１に記載された技術は、ハウスの内部温度を調節するためにのみ、温水や冷水を通す管路を設ける構成と比較すれば、少ない設備コストで実現できると考えられる。しかしながら、ハウスの屋外面に水を流下させるための撒水装置が必要であるから、依然として、植物への撒水やハウスの換気のための設備以外の設備が必要になっている。また、植物に撒水する水とは別にハウスの屋外面に流下させるための水が必要であって、このために用いる水量は比較的少量であるとはいえ、温度調節のためにのみ水を用いることは、ランニングコストの増加につながるという問題を有している。
【０００７】
とくに、ホウレンソウ、コマツナ、ミズナなどの軟弱野菜は、市場価格が比較的低いから、設備コストやランニングコストが増加すると、採算がとれなくなる可能性がある。そのため、植物の育成環境を制御可能にしながらも、設備コストやランニングコストを抑制することが要望されている。
【０００８】
少ないコストで植物の温度制御が可能になれば、主として冬季に栽培される植物を夏季に栽培し、主として夏季に栽培される植物を冬季に栽培することが可能になる。その結果、植物の栽培の回転率を高めて収益率を向上させることや、品薄である期間に出荷して高値で販売することが期待できる。
【０００９】
本発明は、植物の周囲温度を制御する機能を備えながらも、温度制御の機能を備えていないハウスに対する設備コストおよびランニングコストの増加を抑制できるようにした農業用ハウスを提供することを目的とする。
【課題を解決するための手段】
【００１０】
本発明に係る農業用ハウスは、透光性を有する被覆材がフレームにより支持され内部に植物育成用の空間が形成されたハウス本体と、前記ハウス本体の内部で育成される植物の群落に上方から撒水を行うことにより前記植物への水分の供給と前記植物の周囲温度の制御とを行う水供給装置を含み、前記植物が成長する環境を形成する環境形成装置と、前記ハウス本体の内部空間において前記植物の周囲温度を含む環境情報を検出する環境センサと、前記植物の育成に適した温度および湿度が得られるように、前記環境センサから前記環境情報を取得し、前記水供給装置から撒水を行うタイミングと水量との少なくとも一方を前記環境情報に応じて制御する制御装置とを備え、前記制御装置は、前記環境情報に応じて定まる撒水期間に前記水供給装置を駆動して撒水を行い、前記撒水期間の後に定めた休止期間に前記水供給装置による撒水を禁止することを特徴とする。
【００１１】
この農業用ハウスにおいて、前記制御装置は、前記水供給装置を含む前記環境形成装置の動作を制御する機能を有し、前記環境形成装置を制御する制御内容を季節に応じて変更することが好ましい。
【００１２】
この農業用ハウスにおいて、前記ハウス本体の外部の温度を計測する温度センサをさらに備え、前記制御装置は、前記温度センサが当日の日の出までに計測した最低温度に応じて季節を判定することが好ましい。
【００１３】
この農業用ハウスにおいて、前記制御装置は、冬季には前記植物の周囲温度が育成に適した温度よりも高くなるように、前記水供給装置から撒水を行うタイミングと水量との少なくとも一方を設定していることが好ましい。
【００１４】
この農業用ハウスにおいて、前記制御装置は、前記環境形成装置を制御する制御内容を時間帯に応じて変更することが好ましい。
【００１５】
この農業用ハウスにおいて、前記制御装置は、前記植物の成長段階に応じて、前記休止期間を変更することが好ましい。
【００１６】
この農業用ハウスにおいて、前記制御装置は、前記植物の成長段階に応じて、前記水供給装置から撒水を行う水量を変更することが好ましい。
【００１７】
この農業用ハウスにおいて、前記水供給装置は、前記植物に水がかかるように撒水する撒水装置と、前記植物の上方空間に水を噴霧するミスト装置とを備えることが好ましい。
【００１８】
この農業用ハウスにおいて、前記ハウス本体を複数棟備え、前記ハウス本体にそれぞれ配置される前記撒水装置と前記ミスト装置との少なくとも一方に水を供給し、かつ前記複数棟の前記ハウス本体で共用される給水設備をさらに備えることが好ましい。
【００１９】
この農業用ハウスにおいて、前記制御装置は、前記給水設備の給水能力と前記ハウス本体で必要な給水量との関係に応じて、前記ハウス本体のうちで前記給水設備から給水を行う対象を選択することが好ましい。
【００２０】
この農業用ハウスにおいて、前記制御装置は、前記ハウス本体で必要な給水量の総量が前記給水設備の給水能力を上回っている場合に、前記給水設備から前記ハウス本体に順に給水を行うことが好ましい。
【００２１】
この農業用ハウスにおいて、前記制御装置は、前記植物の成長段階に応じた位置の前記環境センサから前記環境情報を取得することが好ましい。
【００２２】
この農業用ハウスにおいて、前記環境形成装置は、前記ハウス本体の内部において前記植物の周囲に気流を形成する気流形成装置をさらに備え、前記制御装置は、前記水供給装置による撒水のタイミングと水量との少なくとも一方に合わせて前記気流形成装置の動作を制御することが好ましい。
【００２３】
この農業用ハウスにおいて、前記環境形成装置は、前記ハウス本体の内部において前記植物の周囲に気流を形成する気流形成装置をさらに備え、前記制御装置は、冬季には前記植物の周囲温度が所定温度以上に維持される範囲で前記気流形成装置を定期的に動作させることが好ましい。
【００２４】
この農業用ハウスにおいて、前記ハウス本体は、互いに対向する一対の側壁部と、前記側壁部の間に跨る屋根部と、前記側壁部と交差し互いに対向する妻壁部とを一体に備え、前記環境形成装置は、前記側壁部に設けられた開閉可能な側窓をさらに備え、前記気流形成装置は、前記妻壁部に取り付けられ、前記ハウス本体において前記妻壁部を通る方向に気流を形成することにより、前記側窓が開いているときに前記側窓から外気を誘引することが好ましい。
【００２５】
この農業用ハウスにおいて、前記妻壁部はそれぞれ開閉可能な端窓が設けられ、前記気流形成装置は、一対の前記妻壁部にそれぞれ取り付けられ、一対の前記気流形成装置は、前記ハウス本体において一対の前記妻壁部を通る方向に沿った中心線に対して互いに反対側に位置し、かつ対向する前記妻壁部にそれぞれ設けられた前記端窓と向かい合うように配置されていることが好ましい。
【００２６】
この農業用ハウスにおいて、前記環境形成装置は、前記植物に照射される外光を減光する閉状態と前記植物に照射される外光を遮らない開状態との間で開閉可能に駆動されるカーテンをさらに備え、前記気流形成装置は、前記植物よりも上方であって、前記カーテンの閉状態において前記カーテンを挟んで前記屋根部の反対側となる位置に配置されていることが好ましい。
【００２７】
この農業用ハウスにおいて、前記側窓および前記端窓は開閉可能に駆動され、前記制御装置は、前記環境センサが検出した前記環境情報に応じて、前記側窓の開閉と前記端窓の開閉と前記気流形成装置の動作とを制御することが好ましい。
【００２８】
この農業用ハウスにおいて、前記妻壁部に取り付けられた前記気流形成装置は、気流を形成する本体装置と、前記妻壁部に固定され前記本体装置が結合される位置が可変である取付枠とにより構成されていることが好ましい。
【００２９】
この農業用ハウスにおいて、前記妻壁部に取り付けられた前記気流形成装置は、軸流ファンを備えた複数台の換気扇または送風機からなり、軸流ファンの回転軸の軸線が一直線上に配置されていることが好ましい。
【００３０】
この農業用ハウスにおいて、前記植物に照射される外光を減光する閉状態と前記植物に照射される外光を遮らない開状態との間で開閉可能に駆動されるカーテンをさらに備え、前記制御装置は、前記カーテンが前記水供給装置による撒水のタイミングと水量との少なくとも一方に合わせて開閉されるように前記カーテンを駆動することが好ましい。
【００３１】
この農業用ハウスにおいて、前記制御装置は、天気予報の情報を外部から取得する通信インターフェイス部を備え、前記通信インターフェイス部を通して取得した天気予報の情報から前記周囲温度を予測することにより、前記水供給装置から撒水するタイミングと水量との少なくとも一方の計画を定めることが好ましい。
【００３２】
この農業用ハウスにおいて、前記環境センサは、前記植物の前記周囲温度に加えて、前記ハウス本体の内部における湿度と照度との少なくとも一方を前記環境情報として検出することが好ましい。
【００３３】
この農業用ハウスにおいて、前記水供給装置は、水温を調節するチラーを備えることが好ましい。
【発明の効果】
【００３４】
本発明の構成によれば、植物に水を供給する水供給装置を用いて植物の周囲温度を制御するから、植物の周囲温度を制御する機能を備えながらも、温度制御の機能を備えていないハウスに対する設備コストの増加を抑制できるという利点がある。さらに、植物への撒水を行う水供給装置が、植物の周辺温度の制御にも兼用されるから、ランニングコストの増加が抑制されるという利点がある。
【図面の簡単な説明】
【００３５】
【図１】実施形態に用いる装置のブロック図である。
【図２】同上の外観を示す斜視図である。
【図３】同上の断面図である。
【図４】同上に用いる水供給装置の動作例を示す図である。
【図５】同上に用いる水供給装置を示す構成図である。
【図６】同上の要部を示し、（ａ）は断面図、（ｂ）は側面図である。
【図７】同上の他の構成例の要部の断面図である。
【図８】同上の要部を示し、（ａ）は断面図、（ｂ）は側面図である。
【図９】同上に用いる給水装置の構成例を示す概略図である。
【図１０】同上に用いる給水装置の他の構成例を示す概略図である。
【図１１】同上に用いる送風管の配置例を示す斜視図である。
【図１２】同上に用いる記憶部のデータ例を示す図である。
【図１３】同上に用いる環境センサの配置例を示す断面図である。
【図１４】同上に用いる記憶部のデータ例を示す図である。
【図１５】同上の動作例を示す図である。
【図１６】同上に用いる換気装置の配置例であって、（ａ）は平面図、（ｂ）は縦断面図、（ｃ）は左側面図、（ｄ）は右側面図である。
【図１７】同上に用いる換気装置の構成例を示す概略図である。
【図１８】同上の他の構成例を示す概略構成図である。
【発明を実施するための形態】
【００３６】
以下に説明する農業用ハウスは、植物を育成する環境を整えることを目的としたハウス本体を備える。図２に示すように、ハウス本体１０は、構造材としての金属製パイプを組み合わせて構成されたフレーム１１と、フレーム１１により支持された被覆材１２とを備える。被覆材１２は、透光性を有する（望ましくは、透明である）合成樹脂フィルムが用いられる。
【００３７】
ハウス本体１０は、断面逆Ｕ字状に形成され、断面半円状の屋根部１０１と、屋根部１０１を支持する互いに対向する一対の側壁部１０２と、側壁部１０２に直交し互いに対向する一対の妻壁部１０３とを一体に備える。以下では、一対の妻壁部１０３を通る方向を長手方向といい、一対の側壁部１０２を通る方向を短手方向という。上述したハウス本体１０は一例であって、ハウス本体１０の構成を限定する趣旨ではなく、ハウス本体１０に他の材料を用いることや他の形状に形成することを妨げない。
【００３８】
図３に示すように、ハウス本体１０内には周囲の土壌よりも高く盛り上げた作土部１５が形成される。植物１は、作土部１５の上面に播種され、種子から収穫時まで育成される。なお、作土部１５を盛り上げる高さ（つまり、作土深さ）は植物１の種類に応じて定められる。また、植物１の種類や育成条件によっては、作土部１５を盛り上げない場合があり、作土部１５に播種せずに、別に育てた苗を作土部１５に定植する場合もある。あるいはまた、作土部１５を形成せずに、植物を育成するための用土を容器に収容する場合でも以下に説明する技術は採用可能である。
【００３９】
ハウス本体１０において育成される植物は、ホウレンソウ、コマツナ、ミズナのような軟弱野菜を想定している。これらの軟弱野菜は、一般に気温および地温が比較的低い秋季から春季にかけて栽培されるが、以下に説明する農業用ハウスでは、これらの軟弱野菜をより高温である時季においても栽培可能にすることを目的としている。
【００４０】
ところで、ハウス本体１０で育成される植物１の群落に撒水するために、図５に示す水供給装置２１が設けられる。本実施形態においては、水供給装置２１は、水を供給する形態が異なる撒水装置２１１とミスト装置２１２とを備える。
【００４１】
撒水装置２１１は、図２に示すように、撒水チューブ２１３を備える。撒水チューブ２１３は、通水されるチューブの管壁に多数個の微細な撒水孔が形成され、チューブに通水されると撒水孔を通して水がシャワー状ないし噴水状に噴出するように構成されている。撒水チューブ２１３に形成された撒水孔は、チューブ内の水圧に応じて定まる範囲に略均一に撒水されるように、口径および向きが設計されている。撒水チューブ２１３は、通水された状態では膨らみ、かつ通水されない状態で萎む柔軟な材料により形成されている。
【００４２】
撒水チューブ２１３は、ハウス本体１０に形成される圃場のサイズや形状に応じて配置が定められる。図２に示す例では、２本の撒水チューブ２１３が用いられ、ハウス本体１０の一対の側壁部１０２に沿って、それぞれ撒水チューブ２１３がハウス本体１０の長手方向の略全長に亘って敷設されている。さらに、撒水チューブ２１３は、斜め上向きに水が噴出するように配置されている。そのため、図４に示すように、撒水チューブ２１３から噴出した水は放物線を描いて、作土部１５および植物１に上方から落下する。なお、撒水チューブ２１３を作土部１５の上方に配置することにより、作土部１５に上方から撒水する構成を採用してもよい。
【００４３】
ここに、撒水チューブ２１３は柔軟な材料で形成されているから、通水後にチューブ内の水圧が低下するとチューブが萎み始め、やがて撒水チューブ２１３から水が噴出されなくなり、撒水チューブ２１３に残留した水が撒水チューブ２１３の周囲に流れる。そのため、撒水チューブ２１３の周囲は湿潤な状態になりやすく、撒水チューブ２１３からの距離が近い植物１は水分が過剰になるおそれがある。また、撒水チューブ２１３の周囲に流れる水の影響を受けないように植物１を植えるとすれば、ハウス本体１０の中での作付け面積が縮小されるおそれがある。
【００４４】
そのため、図６に示すように、撒水チューブ２１３の下に樋状の水受け２１３１を配置することにより、撒水チューブ２１３の周辺に水が流れないようにすることが望ましい。撒水チューブ２１３から噴出されずに周囲に流れ出た水は、水受け２１３１によって植物１に影響がない場所まで誘導される。撒水チューブ２１３は、たとえば、ベルト２１３２を用いて適宜箇所を水受け２１３１に固定すればよい。
【００４５】
水受け２１３１は、図７（ａ）に示すように、ハウス本体１０に敷設される給水用の配管２１３３の上に載せておけば、撒水チューブ２１３と水受け２１３１と配管２１３３とが上下に並ぶから、ハウス本体１０の中での作付け面積に影響を与えることがない。なお、配管２１３２は地上に露出している必要はなく、図７（ｂ）のように、配管２１３３の少なくとも一部をハウス本体１０の地中１７に埋め込んでおけば、撒水チューブ２１３の高さが抑制される。
【００４６】
撒水チューブ２１３の周辺に流れる水が植物１に影響しないようにするには、上述のように、水受け２１３１を設けるほか、図８に示すように、止水板２１３４をハウス本体１０の地中１７に埋め込むようにしてもよい。止水板２１３４は、水が浸透しない材料（たとえば、合成樹脂）により形成され、撒水チューブ２１３と植物１との間に配置される。図において破線の矢印は撒水チューブ２１３から水が噴出する向きを示し、この向きに植物１が存在することを意味する。止水板２１３４は、地面から１５〜３０ｃｍの深さに達するように一部が地中１７に埋め込まれる。なお、止水板２１３４の上部は、水の流れを阻止するように地上に露出する。
【００４７】
このような止水板２１３４は、水受け２１３１よりも構成が簡単であって安価に提供することができ、撒水チューブ２１３がすでに敷設されている場合でも容易に導入することができる。
【００４８】
一方、ミスト装置２１２は、図２に示すように、ミストチューブ２１４を備える。ミストチューブ２１４は、通水されるチューブの管壁に取り付けられた多数個のノズルを備え、チューブに通水されるとノズルから水が噴霧されるように構成されている。すなわち、撒水チューブ２１３が水を連続的に噴出させるのに対して、ミストチューブ２１４は水を粒子状に噴出させる。そのため、撒水チューブ２１３から噴出した水は、作土部１５ないし植物１に即時に落下するのに対して、ミストチューブ２１４から噴出した水は、比較的長時間をかけて作土部１５ないし植物１に落下する。ミストチューブ２１４のノズルの形状によっては、噴霧した水粒子を微細化して空気中に滞留させることも可能である。
【００４９】
撒水チューブ２１３およびミストチューブ２１４は、ハウス本体１０の定位置に固定される。したがって、撒水チューブ２１３およびミストチューブ２１４に給水する圧力を定められた圧力に調節することによって、撒水チューブ２１３およびミストチューブ２１４から噴出される水を所望の箇所に撒くことが可能になる。つまり、水供給装置２１から水を噴出させることにより、植物１および作土部１５への灌水が行われる。なお、水供給装置２１は、上述した構成の撒水チューブ２１３およびミストチューブ２１４を用いる構成に限定されず、たとえば、撒水装置２１１としてスプリンクラーのように可動式の吐出口を備える構成を採用してもよい。
【００５０】
水供給装置２１は、図５に示すように、撒水装置２１１とミスト装置２１２とのそれぞれから水を噴出させるタイミングを個々に制御するために、撒水装置２１１とミスト装置２１２とにそれぞれ給水する流路上に、電磁弁からなる開閉弁２１５，２１６を備える。開閉弁２１５，２１６の開閉は個別に制御され、撒水装置２１１とミスト装置２１２とに水を供給するか否かが個別に選択される。撒水装置２１１およびミスト装置２１２に供給される水は送水ポンプ２１７により所定圧に加圧される。
【００５１】
ところで、撒水装置２１１およびミスト装置２１２に供給される水は、貯水タンク２１８から供給される。貯水タンク２１８に溜められる水は、市水、井戸水、雨水などから選択される。貯水タンク２１８に溜められた水は、チラー２１９により温度が調節され、送水ポンプ２１７を通して撒水装置２１１とミスト装置２１２とに供給される。すなわち、送水ポンプ２１７、貯水タンク２１８、チラー２１９は撒水装置２１１およびミスト装置２１２に水を供給する給水設備２６を構成する。ここに、チラー２１９は必須ではないが、チラー２１９が設けられていると、冷水あるいは温水を撒水装置２１１およびミスト装置２１２に供給することが可能になる。すなわち、植物１の育成に適した環境が得られるように、植物１に撒水する水温を調節することが可能になる。
【００５２】
ところで、ハウス本体１０において妻壁部１０３の中央付近にはハウス本体１０への出入口が設けられ、送水ポンプ２１７は出入りの邪魔にならないように、出入口の側方に配置される。そのため、上述した構成のように、２本の撒水チューブ２１３がハウス本体１０の側壁部１０２に沿って配置されている場合、送水ポンプ２１７からそれぞれの撒水チューブ２１３までの距離が相違することになる。したがって、送水ポンプ２１７の運転を開始した後、撒水チューブ２１３から水が噴出し始めるまでの時間が、それぞれの撒水チューブ２１３で異なり、植物１に供給される水分量に偏りが生じる。
【００５３】
以下に、２本の撒水チューブ２１３から水が噴出し始めるまでの時間差を低減する技術を説明する。図９に示す例では、送水ポンプ２１７により加圧された水は、蓄圧タンク２７１を通して撒水チューブ２１３に供給される。蓄圧タンク２７１から２本の撒水チューブ２１３に給水する経路には、２本の撒水チューブ２１３に共通である開閉弁２１５が設けられる。
【００５４】
上述したような水分量の偏りを抑制するために、図９に示す構成例では、送水ポンプ２１７からの経路が短い近いほうの撒水チューブ２１３（図９では上）と送水ポンプ２１７との間に、開閉弁２１５に加えて、開閉弁２７２が挿入されている。送水ポンプ２１７からの経路が長いほうの撒水チューブ２１３（図９では下）と送水ポンプ２１７との間には開閉弁２１５のみが挿入される。
【００５５】
ここで、開閉弁２１５、２７２は、制御装置３０（図１参照）に制御され、開閉弁２７２は、開閉弁２１５が開いてから所定時間後に開かれる。つまり、開閉弁２１５が開いた時点では開閉弁２７２を閉じておき、２本の撒水チューブ２１３の水圧が同じになることが予想される時間が経過した時点で開閉弁２７２を開くと、２本の撒水チューブ２１３の水圧がほぼ等しくなる。開閉弁２１５を開いてから開閉弁２７２を開くまでのタイミングは、実測によって決定すればよい。
【００５６】
図９に示した開閉弁２７２に代えて、図１０に示すように、開量の調節が可能な電動弁２７３を設け、さらに、２本の撒水チューブ２１３のそれぞれの水圧を圧力センサ２７４によって計測する構成を採用してもよい。この構成では、制御装置３０は、電動弁２７３を開放した後に、２つの圧力センサ２７４で計測される水圧が等しくなるように電動弁２７３の開量をフィードバック制御する。この構成により、撒水チューブ２１３から水が噴出し始めるタイミングを揃えることができる。
【００５７】
ハウス本体１０には、屋根部１０１から入射する外光を減光させる閉状態と、屋根部１０１から入射する外光を減光させることなく植物１に照射させる開状態との間で開閉可能な天井カーテン２２１が取り付けられる。また、ハウス本体１０の側壁部１０２には、開閉可能な側窓１０４が形成され、側窓１０４の開量が調節されることにより、ハウス本体１０に外気を取り込む際の空気の通気抵抗が調節される。さらに、ハウス本体１０の側壁部１０２には、側窓１０４に加えて側カーテン２２２が配置される。
【００５８】
側カーテン２２２は、ハウス本体１０の側壁部１０２から入射する外光を減光させる閉状態と、側壁部１０２から入射した外光を減光させることなく植物１に照射させる開状態との間で開閉可能に構成されている。天井カーテン２２１、側カーテン２２２、側窓１０４は、モータのような動力源（図示せず）により駆動される。妻壁部１０３には開閉可能な端窓１０５（図１５参照）が設けられる。
【００５９】
天井カーテン２２１および側カーテン２２２が開閉されると、ハウス本体１０に流入する熱量を調節することになり、天井カーテン２２１と側カーテン２２２とを開閉することによって、ハウス本体１０の内部空間における温度上昇の速度が調節される。また、側窓１０４の開量が調節されることにより、ハウス本体１０の中に外気を取り入れる速度が調節される。天井カーテン２２１と側カーテン２２２とは、主としてハウス本体１０の内部空間に入射する熱量の調節に寄与する。また、側窓１０４は、ハウス本体１０の内部空間に外気を取り込むことにより、ハウス本体１０の内外の温度差を利用して温度を調節する場合に利用される。たとえば、夏季で晴天の日中には、天井カーテン２２１および側カーテン２２２を閉じ、かつ側窓１０４の開量を大きくすることにより、ハウス本体１０の内部温度の上昇を抑制する。
【００６０】
ハウス本体１０は、植物１の周囲に気流を形成する気流形成装置を備える。気流形成装置は、一対の妻壁部１０３の上部にそれぞれ配置された換気装置２３１を含んでいる。換気装置２３１は必要に応じて運転され、側窓１０４が開いているときに、換気装置２３１が運転されることにより、ハウス本体１０に外気を強制的に取り込むことが可能になる。換気装置２３１は、ハウス本体１０から排気するための換気扇と、ハウス本体１０に外気を取り込むための送風機とのいずれであってもよい。
【００６１】
また、ハウス本体１０の内部に送風機を配置し、送風機により植物１の周囲に強制的に気流を形成し、植物１の周囲の湿度を調節することも可能である。この種の送風機は、植物１の植え付けや収穫の際に邪魔にならないように、ハウス本体１０の内部において移動できることが望ましい。たとえば、送風機を取り付けたアームを、ハウス本体１０の側壁部１０２に対して蝶番で結合した構成が採用される。この構成では、アームを蝶番の回りで回転させることにより、送風機を側壁部１０２に近づいた第１位置と、送風機を作土部１５の上方である第２位置との間で移動させることが可能である。
【００６２】
換気扇または送風機は、軸流ファンを備える。また、ハウス本体１０は内容積が大きいから、換気装置２３１は、有圧扇であることが望ましい。また、換気装置２３１による換気速度は、複数段階に調節可能であることが望ましい。本実施形態は、気流形成装置として、図１１に示すように、植物１の近傍にハウス本体１０の長手方向の略全長に亘って配置された送風管２３２を備える。送風管２３２は、管壁に多数個の微細な通風孔（図示せず）を有し、一端部が送風ポンプ２３３に接続されている。送風ポンプ２３３から送風管２３２に空気が送り込まれると、通風孔から空気が吹き出すことにより、植物１の周囲の湿度を低下させる。ただし、送風管２３２は、通風孔から吹き出す空気が植物１にできるだけ当たらないように配置される。
【００６３】
加えて、ハウス本体１０には、植物１の周囲温度を含む環境情報を検出する複数個の環境センサ２４（図１３参照）が配置される。環境センサ２４は、植物１の周囲温度として、植物１の周辺におけるハウス本体１０の室温と、作土部１５の地中温度とを計測する。また、環境センサ２４は、植物１の周辺における湿度を計測する湿度センサ、植物１の周辺における照度を計測する照度センサを備えていることが望ましい。照度センサは、外光の照度を計測することにより、ハウス本体１に入射する熱量を見積もることが可能になる。あるいはまた、照度センサの出力は、雨天や夜間と、晴天の日中とを区別するために用いられる。
【００６４】
上述したように、ハウス本体１０の中で植物１が成長する環境は、水供給装置２１のほか、側窓１０４、天井カーテン２２１、側カーテン２２２、換気装置２３１、送風ポンプ２３３などを制御することによって変化する。したがって、本実施形態において、水供給装置２１、気流形成装置２３、側窓１０４、天井カーテン２２１、側カーテン２２２は、植物１の周囲環境を形成する環境形成装置を構成している。このような環境形成装置の動作の制御は、制御装置３０（図１参照）が行う。
【００６５】
制御装置３０は、開閉弁２１５，２１６の開閉、送水ポンプ２１７の送水圧の調節、チラー２１９の水温の調節、天井カーテン２２１および側カーテン２２２の開閉、側窓１０４の開量の調節、換気装置２３１の運転と停止、送風管２３２への通気などを制御する。これらの各装置への通電開始および通電停止には、各装置への給電を入切する電磁接触器（電磁リレー）が用いられる。制御装置３０は、ハウス本体１０に付設された筐体に収納され、制御盤を構成する。また、制御装置３０は、環境センサ２４から環境情報を所定の周期で取得し、取得した環境情報を用いて上述した制御を行う。制御装置３０の具体的な動作は後述する。制御装置３０は、プログラムに従って動作するマイコンのようなデバイスを主なハードウェア要素として備える。
【００６６】
たとえば、制御装置３０は、パーソナルコンピュータが備えるインターフェイス部あるいはパーソナルコンピュータに追加されるインターフェイス部を通して、環境センサ２４の出力を受け取り、また各装置への指示を与える。すなわち、パーソナルコンピュータでプログラムを実行することにより、パーソナルコンピュータを制御装置３０として機能させることが可能である。制御装置３０は、汎用のコンピュータではなく、専用装置として構成されていてもよい。
【００６７】
制御装置３０は、図１に示すように、上述した各装置と環境センサ２４とが接続されるインターフェイス部（以下、「Ｉ／Ｆ部」という）３１と、後述する各種データを記憶する記憶部３２、日時を計時するリアルタイムクロックのような内蔵時計３３とを備える。さらに、Ｉ／Ｆ部３１を通して環境センサ２４から取得した環境情報と、記憶部３２に格納した各種データとを用いて上述した各装置を制御する演算処理部３４が制御装置３０に設けられる。Ｉ／Ｆ部３１は各装置への給電を入切する電磁接触器を備える。Ｉ／Ｆ部３１が環境センサ２４から環境情報を取得する時間間隔は、たとえば１〜１５分程度に設定される。Ｉ／Ｆ部３１には、ユーザインターフェイスとなる装置（図示せず）が接続され、この装置を通して、記憶部３２に格納する内容の設定、内蔵時計３３の時刻合わせなどを利用者が行えるようにしてある。
【００６８】
ところで、ハウス本体１０は、ハウス本体１０の外部の気温を計測する温度センサ３５を備え、制御装置３０は、温度センサ３５が計測した温度を環境情報のひとつとしてＩ／Ｆ部３１を通して取得し必要に応じて利用する。さらに、制御装置３０は、内蔵時計３３が計時する日時から季節および１日の時間帯を区分する機能を有する。
【００６９】
制御装置３０は、温度センサ３５が計測したハウス本体１０の当日の日の出までの外気温の最低温度を用いて動作内容を変更する。すなわち、外気温の最低温度は季節を判断する目安になるから、制御措置３０は、当日の日の出までの外気温の最低温度により季節を判断する。たとえば、当日の日の出までの外気温の最低温度が１８℃以上であれば夏季と判断し、最低温度が１０℃以下になると冬季と判断すればよい。
【００７０】
なお、制御装置３０は、当日の日の出までの外気温の最低温度が１０〜１８℃である場合には、夏季でも冬季でもない通常（基準）の動作内容を用いる。季節は、内蔵時計３３が計時している日時を併用して判断することが望ましい。制御内容は、休止期間の長さ、撒水の水量、側窓１０４の開閉、天井カーテン２２１および側カーテン２２２の開閉、換気装置２３１および送風ポンプ２３３の動作を含む。
【００７１】
制御装置３０が季節に応じて環境形成装置の制御内容を変更するのは、植物１の周囲環境が季節に応じて変化するからであって、植物１の周囲環境は、１日の時間帯によっても変化するから、制御装置３０は時間帯によっても制御内容を変更することが望ましい。以下では、制御装置３０が季節に応じて制御内容を変更する例を説明した後に、時間帯に応じて制御内容を変更する例を説明する。
【００７２】
まず、夏季において、ハウス本体１０の内部空間の温度上昇を抑制する場合の動作を例として説明する。夏季には植物１の周囲温度が上昇するから、植物１の徒長、葉の黄変、葉の先端部の焼け、葉のシワ、病害のような障害が発生しやすくなる。とくに軟弱野菜は、この種の障害が発生しやすく、さらには、葉の痛みによる品質のばらつきが生じやすくなる。そのため、ハウス本体１０の内部空間における温度上昇を抑制し、葉の温度を下げることが必要になる。
【００７３】
ここに、ホウレンソウのような長日植物は、夏至の前後において日照時間が長くなると花芽を形成しやすくなり、董立ちにより商品価値が失われる可能性がある。播種時に種子の間隔を調節したところ、種子の間隔と董立ちが生じる確率との間に関係性を見出した。
【００７４】
この関係性について一例を示す。植物１はホウレンソウとし、種子は、直線状の列を複数列形成するように播いた。この場合、表１のように播種することによって、董立ちが発生する確率が大幅に低減された。
【００７５】
【表１】
2014057570.tif 000003
【００７６】
表１における「列上の種子間隔」について括弧内は、より望ましい値を示している。表１によれば、種子の密度を７０ｃｍ２以上、望ましくは９０ｃｍ２以上に設定することにより董立ちが低減されるという結果が得られた。
【００７７】
本実施形態は、葉の温度を下げる技術として、天井カーテン２２１と側カーテン２２２とによる減光、側窓１０４と換気装置２３１と送風管２３２による換気ないし除湿、撒水装置２１１およびミスト装置２１２による撒水が組み合わせて用いられる。
【００７８】
天井カーテン２２１や側カーテン２２２は、減光することによってハウス本体１０の内部温度の上昇を抑制するだけでなく、夏季の強い光を抑制するから、植物１の光合成を効率よく行わせる効果が期待できる。
【００７９】
換気装置２３１と側窓１０４とは、ハウス本体１０の内部の空気を排出し外気をハウス本体１０の内部に取り入れることにより換気を行い、ハウス本体１０の内部温度の上昇を抑制する。また、送風管２３２は、植物１の周囲に気流を形成して植物１の蒸散作用を促進し、さらには、植物１の周囲の湿度を低下させることになる。
【００８０】
ところで、撒水装置２１１およびミスト装置２１２は、植物１の周囲温度よりも低温である水を植物１にかけることによって葉の温度を低下させ、また気化熱を奪うことによって、植物１の周囲温度を低下させるために用いられる。撒水装置２１１は、主としてハウス本体１０の下部において植物１の葉の温度と植物１の周囲温度とを低下させることに貢献し、ミスト装置２１２は、主としてハウス本体１０の上部において気温を低下させることに貢献する。
【００８１】
葉の温度を低下させることを目的として撒水する場合、夏季にはチラー２１９により水温を１０℃程度に設定しておくことが望ましい。チラー２１９は水温が設定温度になるまでに比較的長い時間を要するから、チラー２１９を用いる場合、水温が設定温度になるまでの時間を考慮し、水供給装置２１から植物１に水を供給するタイミングから遡って温度調節を行う必要がある。なお、冬季のように植物１の温度が低温になる場合は、チラー２１９により水温を１５℃程度に設定して、葉の温度を上昇させるようにしてもよい。
【００８２】
本実施形態では、上述のように、植物１の環境を制御するために、天井カーテン２２１と側カーテン２２２とによる減光、側窓１０４と換気装置２３１と送風管２３２による換気ないし除湿、撒水装置２１１およびミスト装置２１２による撒水が組み合わせて用いられる。ただし、以下では、主として撒水装置２１１とミスト装置２１２とを用いて植物１の周囲温度を制御する動作について説明する。
【００８３】
撒水装置２１１およびミスト装置２１２は、主として植物１への水分の供給と植物１の周囲温度の制御とを目的として用いられる。そのため、制御装置３０は、環境センサ２４が計測した植物１の周囲温度に応じて、撒水装置２１１およびミスト装置２１２による撒水のタイミングと水量との少なくとも一方を制御する。環境センサ２４が検出した植物１の周囲温度に対する撒水のタイミングおよび水量はあらかじめ定められ、記憶部３２に格納されている。
【００８４】
記憶部３２は、図１２（ａ）のように、植物１の成長段階に応じて周囲温度と水量とを対応付けて格納した第１の記憶部３２１と、図１２（ｂ）のように、植物１の成長段階に応じて周囲温度と撒水のタイミングとを対応付けて格納した第２の記憶部３２２とを備える。植物１の成長段階は、図示例では、発芽前、発芽後１０日未満、発芽後１０日以降の３段階の区分を有している。また、植物１の周囲温度は、１０℃未満、１０〜２０℃、２０〜３０℃、３０℃以上の４段階の区分を有している。ただし、これらの区分は適宜に設定可能である。また、成長段階および周囲温度に対する水量およびタイミングは、周囲温度に応じて灌水時の蒸発量と植物１の成長段階に応じた灌水量の限界とを考慮して設定される。
【００８５】
図示例において、植物１の成長段階において成長が進行するほど水量を増加させ、植物１の周囲温度が高くなるほど水量を増加させている。また、植物１の成長段階において成長が進行するほど水を噴出させる時間間隔を短くしている。さらに、撒水装置２１１はミスト装置２１２と比較して噴出される水量が多く、植物１に直接かかる水量が多くなる。そのため、水を噴出させる時間間隔は、撒水装置２１１のほうがミスト装置２１２よりも長くなるように設定されている（図示例では２倍）。なお、撒水装置２１１およびミスト装置２１２から水を噴出させる時間は、撒水装置２１１およびミスト装置２１２が単位時間について噴出させる水量にもよるが、１回の灌水について１〜数分間程度とすることが望ましい。
【００８６】
いま、環境センサ２４により計測される植物１の周囲温度が３０℃以上であって、植物１の発芽から１０日未満であるという条件を想定する。この条件下において、図１２（ａ）によれば、水供給装置２１から５０Ｌの水量を噴出させることになり、図１２（ｂ）によれば、撒水装置２１１からは１時間に１回水を噴出させ、ミスト装置２１２からは３０分に１回水を噴出させることになる。
【００８７】
撒水装置２１１およびミスト装置２１２は、使用圧力や単位時間当たりに噴出させる水量（灌水量）について製品ごとの仕様が定まっているから、所要の水量を得るために、撒水を行う１回当たりの時間を変化させる。なお、図１２（ａ）に示す水量は、撒水装置２１１とミスト装置２１２との両方を用いる場合の水量の合計であって、ミスト装置２１２のみから噴出させるときの水量は、撒水装置２１１とミスト装置２１２との水量の分配比率により定まることになる。
【００８８】
上述のように、水供給装置２１から撒水を行うことによって、気化熱を奪ってハウス本体１０の気温を下げ、かつ冷水を植物１に接触させることが可能になり、植物１の周囲温度を低下させることが可能になる。ただし、植物１が長時間に亘って濡れた状態、植物１の根の周囲の含水量が過剰になる状態、植物１の周囲湿度が過剰になる状態などは、植物１に病害を生じさせる可能性がある。そのため、図１２（ｂ）のように水供給装置２１による撒水のタイミングを調節し、間欠的に撒水を行うことによって、植物１が過度に湿潤になる状態を回避している。
【００８９】
つまり、水供給装置２１から撒水を行う撒水期間と、撒水期間の後に水供給装置２１からの撒水を禁止する休止期間とを設け、撒水を一度行った後には、第２の記憶部３２２に設定した撒水のタイミングになるまでは撒水しないようにする。休止期間には撒水が禁止されているから、撒水を行うタイミングにおける植物１の周囲温度および作土部１５の含水率は異なる。このことから、図１２（ａ）のように、撒水時に水量だけではなく周囲温度との対応付けが必要になる。要するに、水供給装置２１の制御には、環境センサ２４が検出する環境情報よりも休止期間が優先するから、撒水を開始する際の植物１の周囲温度は一定ではなく、植物１の周囲温度が異なれば作土部１５の含水率も異なると予想される。そのため、植物１の周囲温度に応じて撒水を行う水量が定められる。なお、第２の記憶部３２２における撒水のタイミングは、ユーザインターフェイスとなる装置を用いて利用者が任意に設定することが可能になっている。
【００９０】
ところで、環境センサ２４は、植物１の周辺温度を計測しており、撒水の際の水量とタイミングとの少なくとも一方を植物１の成長段階に合わせて調節しているから、環境センサ２４は、植物１の周囲温度をどこで計測するかが重要である。そのため、植物１の成長段階を考慮して周囲温度を計測する場合、植物１の成長に伴って周囲温度を計測する場所を変化させるほうが目的にかなうと考えられる。とくに、ハウス本体１０の内部の気温は下部より上部のほうが高いと考えられるから、植物１の高さ寸法が成長に伴って大きくなった場合、上端付近の温度がもっとも高いと考えられる。したがって、夏季における植物１の温度上昇を抑制することを目的に含めて撒水を行う場合、撒水の際の水量やタイミングを決める温度は、植物１の上端付近の温度が望ましい。
【００９１】
なお、植物１の周辺温度は、植物１の上端付近の温度が望ましいが、植物１の上端付近の温度と略一定の関係を有する温度を検出することができる部位であれば、必ずしも植物１の上端付近の温度ではなくてもよい。目安としては、ハウス本体１０の天井高の半分より下であれば、植物１の上端付近の温度が反映される。
【００９２】
植物１の上端付近の温度を検出する場合、植物１の成長に合わせて環境センサ２４により計測する位置を変化させてもよい。たとえば、図１３に示すように、複数の高さ位置にそれぞれ環境センサ２４を配置しておき、植物１の成長に合わせて、植物１の上端に近い１つの高さ位置の環境センサ２４の出力を選択して制御装置３０で利用する。植物１の周囲温度は、気中温度だけではなく、作土部１５の土中温度も併せて計測することが望ましい。したがって、環境センサ２４の高さ位置は、作土部１５の上面に対して、植物１の収穫時の高さとして経験的に定まる高さを上限とし、作土部１５の作土深さを下限として、複数段階の位置を設定すればよい。たとえば、地上部と地中部との環境センサ２４は、それぞれ作土部１５の表面から３０ｃｍの範囲内に配置される。
【００９３】
図１３に示す例では、異なる高さ位置に３個の環境センサ２４を配置してある。３個の環境センサ２４は、下部が作土部１５に埋められる設置棒２５に取り付けられ、設置棒２５が植物１の周囲に立てられることによって、３個の環境センサ２４がそれぞれ異なる高さ位置の温度を計測する。下段の環境センサ２４は土中温度を計測し、中段の環境センサ２４は作土部１５の表面付近の気中温度を計測し、上段の環境センサ２４は植物１の収穫時の上端付近の気中温度を計測する。ただし、図１３に示す配置例は一例であって配置を限定する趣旨ではなく、４個以上の環境センサ２４を用いることも可能である。
【００９４】
ところで、植物１の上端の高さ位置を計測するには、ＴＶカメラなどを用いて植物１の成長を監視することが可能である。ただし、この技術を採用すると、コストが増加する可能性がある。
【００９５】
本実施形態では、植物１が発芽してからの経過日数が植物１の上端の高さ位置と相関を持つと仮定している。そのため、制御装置３０の記憶部３２は、植物１を発芽してからの日数と、高さ位置の異なる環境センサ２４とを対応付けた第３の記憶部３２３を備える。
【００９６】
図１４に示す例では、下段の環境センサ２４から得られる土中温度、中段と上段との環境センサ２４から得られる気中温度は、発芽後の経過日数に応じて順に利用される。すなわち、演算処理部３４は、ユーザインターフェイスとなる装置を用いて利用者が入力した発芽の時点を起算点として内蔵時計３３が計時する経過時間を第３の記憶部３２３に照合する。演算処理部３４は、３個の環境センサ２４が計測した植物１の周囲温度を、第３の記憶部３２３に登録された経過日数に応じて選択して利用する。
【００９７】
図１２、図１４に示す例において、成長段階は、発芽からの日数によって表しているが、播種からの経過日数を用いることも可能である。また、植物１の画像をＴＶカメラによって監視する場合や目視により植物１の成長段階を確認する場合は、植物１における本葉の有無や本葉の枚数などを監視することによって、成長段階を判断することも可能である。この場合、成長段階に応じて環境センサ２４を選択するために利用者が操作するための次段階移行スイッチ（図示せず）が付加される。つまり、利用者が画像や目視により植物の生長を確認し、次段階移行スイッチを操作することにより、目的の環境センサ２４が選択される。さらに、成長段階の日数や撒水の水量は季節によって異なる可能性があるから、第１〜第３の記憶部３２１〜３２３は、季節ごとに用意しておくことが望ましい。
【００９８】
図１４に示す例では、高さ位置の異なる３個の環境センサ２４を用いる場合、播種から発芽までの期間には、種子の周辺温度に応じて撒水する必要があるから、下段の環境センサ２４により計測した土中温度が用いられる。また、発芽後であって草丈が短い１０日未満の期間は作土部１５の表面温度を植物１の周囲温度として用いるために、中段の環境センサ２４により計測した気中温度が用いられる。さらに、発芽後に１０日目以降は、植物１の葉面付近を植物１の周囲温度として用いるために、上段の環境センサ２４により計測した気中温度が用いられる。要するに、図１４に示す例は、図１２に示した例と同様に、植物１の成長段階と植物１の周囲温度とに撒水の際の水量が対応付けられているが、成長段階に応じて異なる環境センサ２４を用いて植物１の周囲温度を検出する点が図１２に示した例と異なる点である。
【００９９】
上述した例は、環境センサ２４が植物１の周囲温度を計測する場合について説明したが、植物１の周囲温度だけではなく、湿度および照度も計測する環境センサ２４を用いることが可能である。植物１の周囲の温度や湿度が育成環境に適した温度や湿度よりも上昇すると、植物１の成長に異常が生じたり病害が生じやすくなる。また、一般に植物１の周囲照度はハウス本体１０に入射する熱量と相関があり、照度が高いと周囲温度が上昇する可能性がある。このことから、制御装置３０において、植物１の周囲温度だけではなく、湿度および照度も併せて利用すれば、植物１の育成環境をよりきめ細かく制御することが可能になる。
【０１００】
湿度に関しては、温度上昇によって撒水が必要になった場合であっても、湿度が基準値よりも高ければ、撒水を行わないことにより、湿度の上昇による植物１への病害の発生が抑制される。また、照度に関しては、一般に照度が高いほど植物１の周囲温度が上昇することが知られているから、あらかじめ決められた時間以内の累積照度を測定し、累積照度が基準値以上になると、撒水を行うことが望ましい。
【０１０１】
ハウス本体１０は、図２に示すように、側窓１０４、換気装置２３１、送風管２３２を備えているから、制御装置３０は、湿度が基準値よりも高い場合に、これらの装置を適宜に制御することによって、換気および除湿を行うことが望ましい。たとえば、撒水によって植物１の周囲の湿度が上昇した場合、側窓１０４を開け、換気装置２３１を運転することによって、ハウス本体１の内部の除湿が可能になる。また、送風管２３２から空気を噴出させると植物１の群落の周辺に気流が形成され、植物１の周辺の湿度を下げることが可能になる。つまり、撒水のタイミングに合わせて換気装置２３１および送風管２３２が運転されることになる。さらに、制御装置３０は、撒水した水量あるいは撒水後に環境センサ２４が検出する湿度に応じて、換気装置２３１および送風管２３２の動作を制御することが望ましい。
【０１０２】
以上のように、制御装置３０は、換気装置２３１および送風管２３２を、水供給装置２１による撒水の直後に運転させることによって、撒水直後においてハウス本体１０の除湿を行うことが可能になる。また、撒水直後に気流を形成することによって、気化熱を奪うことになり、ハウス本体１０の内部空間の冷却にも寄与する。すなわち、撒水により植物１の周囲温度を低下させ、その後、ただちに除湿および冷却を行うことにより、植物１の環境を適正な温度かつ湿度に維持することが可能になり、植物１の育成環境を適正に維持することが可能になる。なお、送風管２３２は省略可能である。
【０１０３】
天井カーテン２２１および側カーテン２２２は、晴天日に開放されると、ハウス本体１０の温度を上昇させることになる。天井カーテン２２１および側カーテン２２２が開放された直後には、作土部１５の地温が上昇するから、撒水の直後に天井カーテン２２１を開放すると、植物１の周囲湿度を低下させる。晴天日であれば、制御装置３０は、天井カーテン２２１および側カーテン２２２を閉じておくことにより、ハウス本体１０の温度上昇を抑制することが可能であり、撒水の直後に天井カーテン２２１を一時的に開放することによって地温を上昇させて除湿することが可能になる。この場合、湿度が下がれば天井カーテン２１１を閉じ、気温の上昇を抑制する。天井カーテン２２１の開放時間は、撒水時の水量に応じて定められ、また環境センサ２４が計測する気温に応じて調節される。ここでは、天井カーテン２２１および側カーテン２２２の開閉を、撒水時の水量や気温に基づいて制御しているが、他の条件によって制御してもよい。たとえば、植物１の成長段階に応じて天井カーテン２２１および側カーテン２２２の開閉を制御する条件を設定することも可能である。
【０１０４】
上述した構成例では、制御装置３０は、環境センサ２４の出力だけを用いて水供給装置２１の動作を制御しているから、環境センサ２４が計測した時点の植物１の環境に応じた制御だけを行うことになる。ただし、計測時点から数時間後に雨天になり湿度が上昇する場合など、環境センサ２４による計測時点の後に生じる環境の変化によっては、環境センサ２４の出力に基づいて行った制御が植物１にとって障害になる可能性がある。
【０１０５】
このような場合に備えて、制御装置３０のＩ／Ｆ部３１に、天気予報の情報を外部から取得する通信インターフェイス部を設けておくことが望ましい。この場合、制御装置３０は、Ｉ／Ｆ部３１を通して取得した天気予報の情報から植物１の周囲温度を予測し、予測結果に基づいて水供給装置２１が撒水するタイミングと水量との少なくとも一方について計画を定める機能を有する。たとえば、天気予報の情報から６時間後に雨天になる見通しである場合に、湿度の上昇が予想されるから、制御装置３０は、環境センサ２４が計測した植物１の周囲温度では撒水の条件が満たされている場合でも撒水を行わないようにすればよい。また、天気予報の情報によりハウス本体１０の内部温度が予測できる場合、制御装置３０は、次の撒水時までにチラー２１９の水温が目的の温度に達するようにチラー２１９を制御してもよい。
【０１０６】
以上説明したように、本実施形態の制御装置３０は、第２の記憶部３２２に設定した時間ごとに水供給装置２１による撒水を行うように撒水のタイミングが設定された構成であって、撒水時に環境センサ２４が計測した温度に応じて定められた水量の撒水を行う。ただし、制御装置３０は、撒水前に湿度が基準値以上であれば撒水を行わず、また、撒水後には、天井カーテン２２１や換気装置２３１を用いて除湿を行うようにしている。なお、制御装置３０は、撒水前に湿度が基準値以上である場合に、換気装置２３１を用いて除湿および換気を行い、除湿後に撒水によって気温を下げることも可能である。
【０１０７】
以下、冬季の動作について夏季の動作と異なる点を説明する。冬季には夏季よりも植物１の周囲温度が高くなるように、制御装置３０が水供給装置２１から撒水を行うタイミングと水量との少なくとも一方が設定される。冬季において夏季よりも高い温度を維持することにより、冬季において日照時間が短くなっても、植物１の周囲温度を比較的高い温度に維持することが可能であり、栽培日数の著しい長期化を抑制することができる。具体的には、冬季には植物１の周囲温度が育成に適した温度よりも高くなるように、温度が調節される。また、植物１の周囲温度が低下すると、相対湿度が低下するから、光合成に必要な葉からの蒸散作用に不具合が生じる可能性があり、葉の分化が正常に進まなくなるなどの生理障害が生じる可能性がある。これに対して、本実施形態は、冬季において植物１の周囲温度を比較的高い温度に維持するから、低温による生理障害の発生を抑制することができる。
【０１０８】
以上のことから、制御装置３０は、冬季には保温を目的として植物１の周囲温度が夏季よりも高い温度になるように制御内容を設定している。また、日中は植物１の周囲温度が夜間よりも上昇し、その結果、日中は夜間よりも相対湿度が低下するから、制御装置３０は、加湿を目的としてミスト装置２１２を動作させる。同様に、午前と午後との時間帯に分け、相対湿度が低下する午後の時間帯においてミスト装置２１２を動作させるようにしてもよい。
【０１０９】
その一方で、上述した動作例と同様に、過度に湿度が上昇するのを防止するために、必要に応じて、気流形成装置（換気装置２３１と送風管２３２）を用いて気流を形成することによって除湿を行うことが有効である。さらに、ハウス本体１０の内部空間における空気のよどみを防止し、植物１の周囲に新鮮な空気を取り込むために、気流形成装置を用いることが望ましい。ただし、冬季においては気流形成装置を運転することによって、ハウス本体１０の内部温度が低下する可能性があるので、制御装置３０は、冬季には植物１の群落の温度が所定温度以上に維持される範囲で気流形成装置を定期的に動作させる。
【０１１０】
図１５に冬季における植物１の群落の温度と外気温との実測例を示す。ハウス本体１０は長手方向を南北方向として設置した。測定の条件は以下の通りである。すなわち、側窓１０４は、１０：３０〜１２：００にのみ開き、他の時間帯には閉じた。天井カーテン２２１は、８：３０〜１６：００に開き、他の時間帯には閉じた。側カーテン２２２は、８：３０〜１０：３０に東側を開いて西側を閉じ、１４：００〜１７：００に東側を閉じて西側を開いた。さらに、側カーテン２２２は、１０：３０〜１４：００に両方を開き、残りの時間帯には両方を閉じた。換気装置２３１は、群落の温度が２７℃以上になると動作させ、送風ポンプ２３３は、群落の温度が２５℃以上になると動作させた。さらに、図示例では、側窓１０４を開いた時間帯（１０：３０〜１２：００）に換気を促進するために、換気装置２３１および送風ポンプ２３３を動作させた。ミスト装置２１２は、群落の湿度が５０％以下になると水を噴出させた。
【０１１１】
以上の条件では、図１５の結果が得られた。図において、（１）は群落の温度、（２）は外気温、（３）は群落の湿度、（４）は外気の湿度を示す。測定結果によれば、午前中に群落の温度が２５℃に達し、かつ外気の湿度が５０％程度に低下する１０：００に換気を開始することにより、群落の温度が低下し、かつ群落の湿度も低下した。また、午後には側窓１０４を閉じて保温したところ、夜間に外気温が低下しても群落の温度を外気温よりも高く維持することができた。
【０１１２】
なお、上述した測定例は、制御装置３０に環境情報を与える環境センサ２４の位置を植物１より上方とした場合であって、環境センサ２４の位置を植物１より下方に変更すると、群落の温度を上昇させることができた。群落の温度には、温度範囲を設定しておき（たとえば、生育適正温度を１５〜２０℃とする）、晴天日の日中は、除湿を行う際に、この温度範囲を維持するように換気の調節を行うことが望ましい。すなわち、制御装置３０は、除湿中に温度範囲の下限に達すると、換気を停止することが望ましい。換気を開始する時刻は、定時に設定するほか、日没の時刻を基準にして設定することが可能である。
【０１１３】
以上のように、冬季においても、夏季と同様に、ミスト装置２１２、天井カーテン２２１、側カーテン２２２、気流形成装置（換気装置２３１と送風管２３２）によって、ハウス本体１０の環境を植物１の育成に適した条件に維持することが可能である。
【０１１４】
冬季における植物１の温度低下をさらに抑制するために、ハウス本体１０の側壁部１０２（および妻壁部１０３）の下端部に、地面との間の隙間を塞ぐ隙間塞ぎ１６を配置してもよい（図２参照）。隙間塞ぎ１６は、育成する植物１の成長時の高さより高いことが望ましい。ただし、コストの増加が抑制されるように、隙間塞ぎ１６は、撒水チューブ２１３と同様の素材を用いて形成されたチューブに水を充填した構成が望ましい。この隙間塞ぎ１６は、水を抜けば容易に持ち運ぶことができ、水を充填した状態では日中の日射を受けて蓄熱し、夜間には放熱することによりハウス本体１０の内部の気温低下を抑制する。
【０１１５】
ところで、換気装置２３１は、ハウス本体１０の長手方向における両端の妻壁部１０３にそれぞれ設けられ、ハウス本体１０において天井カーテン２２１の下方に形成される空間において気流を形成するように配置されている。換気装置２３１は、妻壁部１０３の上部であって、天井カーテン２２１よりも下方に配置される。具体的には、換気装置２３が配置される高さ位置は、ハウス本体１０の上端と下端との中間よりも上方に位置するように配置される。さらに言えば、換気装置２３１が配置される高さ位置は、植物１の収穫時の上端位置として予測される高さと、天井カーテン２２１の上端との中間よりも上方であることが望ましい。
【０１１６】
換気装置２３１は、側窓１０４を開けた状態で動作させると、ハウス本体１０の中に形成される気流によって、側窓１０４から外気がハウス本体１０に誘引されるように配置される。換気装置２３１が換気扇である場合、側窓１０４と換気装置２３１とを結ぶ経路で気流が形成される。一方、換気装置２３１が送風機である場合、ハウス本体１０の内部に気流を形成すると負圧によって側窓１０４から外気が誘引されることになる。換気装置２３１は、送風方向が固定されている構成と、首振り機構を備えた構成とのどちらを採用してもよい。
【０１１７】
制御装置３０は、環境センサ２４が計測した温度、湿度、照度などの条件に応じて、除湿、冷却、換気などの目的で、気流形成装置（換気装置２３１および送風管２３２）を動作させる。上述した構成例では、制御装置３０は、気流形成装置を動作させる期間に側窓１０４を開けているが、側窓１０４だけではなく端窓１０５の開閉も併せて制御すれば、側窓１０４の開閉のみでは形成できなかった様々な気流を形成することが可能になる。
【０１１８】
ところで、２台の換気装置２３１は、図１６に示すように、互いに対向させる配置ではなく、短手方向の位置を異ならせるように配置することが望ましい。すなわち、２台の換気装置２３１は、ハウス本体１０の長手方向に沿った中心線に対して互いに反対側に位置するように配置され、かつ当該中心線とそれぞれの換気装置２３１との距離が等しくなるように配置することが望ましい。換気装置２３１がこのように配置されていると、ハウス本体１０の短手方向における気流の分布が対称的になる。
【０１１９】
この配置では、ハウス本体１０の短手方向において、端窓１０５は換気装置２３１とは逆側に配置される。つまり、互いに他方の妻壁部１０３に設けた換気装置２３１と端窓１０５とが向かい合うから、換気装置２３１を動作させる際に、端窓１０５を開いておくことにより、ハウス本体１０の長手方向に沿ってほぼ直進する気流が形成される。また、この状態で側窓１０４も開いておけば、換気装置２３１と端窓１０５との間に形成される気流による負圧が生じて側窓１０４からハウス本体１０に外気を誘引することになる。すなわち、ハウス本体１０の内部の空気を迅速に換気することが可能になる。また、植物１の上方に気流を形成するから、植物１の周辺の空気が吸引され、植物１の周囲に緩やかな気流が形成される。その結果、植物１に直接送風することがないから、緩やかな気流によって植物１を傷めることなく、植物１の周辺の除湿や冷却を迅速に行うことが可能になる。
【０１２０】
図１６において矢印は気流の向きを表しており、換気装置２３１により形成される直線状の気流が形成されることにより、図１６（ａ）のように、側窓１０４から外気が誘引され、図１６（ｂ）のように、植物１の周囲の空気も誘引される。なお、図１６（ｂ）において、左側の換気装置２３１は右側の換気装置２３１よりも奧に配置され、図示する植物１は手前に植えられているから、植物１の周囲の気流は右側の換気装置２３１に形成された気流により誘引される。
【０１２１】
換気装置２３１は、ハウス本体１０に対する位置調節が可能であることが望ましい。このような構成は、たとえば、換気装置２３１を、気流を形成する本体装置と、妻壁部１０３に固定される取付枠とにより構成し、本体装置を取付枠に取り付ける位置を可変にすることによって実現される。
【０１２２】
換気装置２３１は、図１７に示すように、複数台の換気扇あるいは送風機を重ねて構成してもよい。図１７において破線で囲んだ２個の長方形が換気扇あるいは送風機を表している。換気扇あるいは送風機は、上述したように、軸流ファンを備えている。換気装置２３１を構成するために重ねられる複数台の換気扇あるいは送風機は、軸流ファンの回転軸の軸線が一直線上に位置するように配置される。
【０１２３】
上述した構成例では、１棟のハウス本体１０について説明したが、図１８のように、複数棟のハウス本体１０Ａ〜１０Ｃが並設される場合がある。複数棟のハウス本体１０Ａ〜１０Ｃを並設する場合には、すべてのハウス本体１０Ａ〜１０Ｃで同種類の植物１を育成する場合と、ハウス本体１０Ａ〜１０Ｃごとに異なる植物１を育成する場合とがある。いずれの場合でも、複数棟のハウス本体１０Ａ〜１０Ｃが並設されている場合に、水供給装置２１を構成する送水ポンプ２１７、貯水タンク２１８などが、個々のハウス本体１０Ａ〜１０Ｃに設置されるとすれば、コストの増加につながるという問題がある。
【０１２４】
そのため、図１８に示すように、ハウス本体１０Ａ〜１０Ｃごとに設けられた撒水装置２１１とミスト装置２１２とに水を供給する給水設備２６を、ハウス本体１０Ａ〜１０Ｃの第１の給水設備２６１と、ハウス本体１０Ａ〜１０Ｃから独立した第２の給水設備２６２とに分割している。第２の給水設備２６２は、複数棟のハウス本体１０Ａ〜１０Ｃに設けられた撒水装置２１１とミスト装置２１２との少なくとも一方において共用される。
【０１２５】
図１８に示す構成例において、第１の給水設備２６１と第２の給水設備２６２とは、それぞれ散水装置２１１に給水する経路に挿入された装置と、ミスト装置２１２に給水する経路に挿入された装置とを備える。
【０１２６】
第１の給水設備２６１において散水装置２１１に給水する経路に挿入された装置は、開閉弁２６１１と第１の貯水タンク２６１２とであり、ミスト装置２１２に給水する経路に挿入された装置は、開閉弁２６１３のみである。
【０１２７】
一方、第２の給水設備２６２において、撒水装置２１１に給水する経路に挿入された装置は、開閉弁２６２１および加圧用の送水ポンプ２６２２である。ミスト装置２１２に給水する経路に挿入された装置は、第２の貯水タンク２６２３および加圧用の送水ポンプ２６２４を備える。第２の貯水タンク２６２３には、第２の貯水タンク２６２３への給水を制御する開閉弁２６２５と、第２の貯水タンク２６２３からの排水を制御する開閉弁２６２６とが接続され、送水ポンプ２６２４からハウス本体１０Ａ〜１０Ｃに給水する経路には開閉弁２６２７が挿入される。
【０１２８】
給水設備２６と同様に、制御装置３０もハウス本体１０Ａ〜１０Ｃに設けられる第１の制御装置３０１と、ハウス本体１０Ａ〜１０Ｃから独立した第２の制御装置３０２とに分離される。第１の制御装置３０１は、第１の給水設備２６１に設けられた開閉弁２６１１、２６１３の開閉状態を制御する。また、第２の制御装置３０２は、第２の給水設備２６２に設けられた開閉弁２６２１、２６２５〜２６２７の開閉状態および送水ポンプ２６２２，２６２４の運転状態を制御する。なお、図示例では、個々のハウス本体１０Ａ〜１０Ｃに第１の環境センサ２４１を配置し、すべてのハウス本体１０Ａ〜１０Ｃで共用する第２の環境センサ２４２を設けている。第１の環境センサ２４１は、ハウス本体１０Ａ〜１０Ｃの内部における温度、湿度、照度を計測し、第２の環境センサ２４２は、ハウス本体１０Ａ〜１０Ｃの外部における温度、湿度、照度を計測する。第１の環境センサ２４１が計測した情報は第１の制御装置３０１で用いられ、第２の環境センサ２４２が計測した情報は第２の制御装置３０２で用いられる。
【０１２９】
図１８において第１の制御装置３０１および第２の制御装置３０２に関する信号の経路は省略している。また、図示例では、散水装置２１１には井戸水を供給し、ミスト装置２１２には市水を供給しているが、散水装置２１１とミスト装置２１２とに使用する水は、上述したように、適宜に選択される。
【０１３０】
図１８に示す構成において、第１の貯水タンク２６１２は、個々のハウス本体１０Ａ〜１０Ｃにおける撒水装置２１１に供給する水量を確保している。一方、第２の貯水タンク２６２３は、複数棟のハウス本体１０Ａ〜１０Ｃに設けられたミスト装置２１２で共用されているから、ハウス本体１０Ａ〜１０Ｃの棟数が増加すると、第２の貯水タンク２６２３の容量も大きくなる可能性がある。第２の貯水タンク２６２３が大型化することを防止するために、第２の制御装置３０２は、複数棟のハウス本体１０Ａ〜１０Ｃに対して同時に給水できない場合には、適宜棟数のハウス本体１０Ａ〜１０Ｃごとに給水を順次行う。この動作を行うために、第２の制御装置３０２は、第１の制御装置３０１と通信することにより連携する。
【０１３１】
たとえば、第２の貯水タンク２６２３がハウス本体１０Ａ〜１０Ｃのうちの２棟に対しては同時に給水でき、３棟のハウス本体１０Ａ〜１０Ｃには同時に給水できない場合を想定する。この場合、第２の制御装置３０２は、ハウス本体１０Ａ〜１０Ｃのうちの２棟に給水し、当該２棟への給水が終了した後に残りに給水する。
【０１３２】
この例のように、第２の貯水タンク２６２３から各ハウス本体１０Ａ〜１０Ｃに給水するタイミングをずらすことによって、第２の貯水タンク２６２３を大型化させることなく、多数棟のハウス本体１０Ａ〜１０Ｃに給水することが可能になる。また、第２の貯水タンク２６２３に相当する構成および送水ポンプ２６２２，２６２４に相当する構成を、ハウス本体１０Ａ〜１０ＣＡ〜１０Ｃごとに設ける必要がない。その結果、複数棟のハウス本体１０Ａ〜１０Ｃを並設する場合でも、コストの増加を抑制し、かつ共用される給水設備２６の大型化を避けることができる。
【０１３３】
以上説明したように、給水設備２６の一部（第２の給水設備２６２）を複数棟のハウス本体１０Ａ〜１０Ｃで共用する。しかも、制御装置３０（第２の制御装置３０２）は、給水設備２６の給水能力とハウス本体１０Ａ〜１０Ｃで必要な給水量との関係に応じて、ハウス本体のうちで給水設備２６から給水を行う対象を選択する。また、制御装置３０（第２の制御装置３０２）は、ハウス本体１０Ａ〜１０Ｃで必要な給水量の総量が給水設備２６の給水能力を上回っている場合に、給水設備２６からハウス本体１０Ａ〜１０Ｃに順に給水を行うことが可能になる。
【０１３４】
なお、上述の実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることは勿論のことである。
【符号の説明】
【０１３５】
１  植物
１０  ハウス本体
１１  フレーム
１２  被覆材
２１  水供給装置（環境形成装置）
２３  気流形成装置（環境形成装置）
２４  環境センサ
３０  制御装置
３１  インターフェイス部（通信インターフェイス部）
１０１  屋根部
１０２  側壁部
１０３  妻壁部
１０４  側窓（環境形成装置）
１０５  端窓
２１１  撒水装置
２１２  ミスト装置
２１９  チラー
２２１  天井カーテン（環境形成装置、カーテン）
２２２  側カーテン
２３１  換気装置（環境形成装置、気流形成装置）
２３２  送風管（環境形成装置、気流形成装置）
【図１】
2014057570.tif 000004
【図２】
2014057570.tif 000005
【図３】
2014057570.tif 000006
【図４】
2014057570.tif 000007
【図５】
2014057570.tif 000008
【図６】
2014057570.tif 000009
【図７】
2014057570.tif 000010
【図８】
2014057570.tif 000011
【図９】
2014057570.tif 000012
【図１０】
2014057570.tif 000013
【図１１】
2014057570.tif 000014
【図１２】
2014057570.tif 000015
【図１３】
2014057570.tif 000016
【図１４】
2014057570.tif 000017
【図１５】
2014057570.tif 000018
【図１６】
2014057570.tif 000019
【図１７】
2014057570.tif 000020
【図１８】
2014057570.tif 000021